(57)【要約】【課題】切り欠き等の処理を行うシートの生産性を向上させることのできるシート処理装置を提供する。【解決手段】第１搬送経路４１０から分岐し、第１搬送経路４１０との分岐部よりもシート搬送方向下流側で第１搬送経路４１０と合流する第２搬送経路４２０に、シートの一端部に選択的に切り欠き処理を行う第１シート断裁部４０１Ａと、シートの他端部に選択的に切り欠き処理を行う第２シート断裁部４０１Ｂとを設ける。そして、シートに切り欠き処理を行う際には、シートを第１搬送経路４１０から選択的に第２搬送経路４２０に搬送し、第１シート断裁部４０１Ａ及び第２シート断裁部４０１Ｂによる選択的な切り欠き処理の後、シートを第１搬送経路４１０に戻すようにする。【選択図】図４
2010132421.tif 000002
【特許請求の範囲】
【請求項１】
シートに切り欠き処理を行うシート処理装置において、
シートを搬送する第１シート搬送路と、
シートの端部に切り欠き処理を行う切り欠き形成手段と、
前記第１シート搬送路から分岐して前記切り欠き形成手段にシートを搬送する第２シート搬送路と、
前記切り欠き形成手段により切り欠き処理されたシートを前記第１シート搬送路に戻す第３シート搬送路と、を備えたことを特徴とするシート処理装置。
【請求項２】
シートに切り欠き処理を行う際には、シートを前記第１シート搬送路から前記第２シート搬送路に選択的に搬送し、前記切り欠き形成手段による切り欠き処理の後、シートを前記第３シート搬送路から前記第１シート搬送路に戻すことを特徴とする請求項１に記載のシート処理装置。
【請求項３】
シートを前記切り欠き形成手段による切り欠き処理位置に停止させる停止部を備え、
前記切り欠き形成手段に搬送されたシートを切り欠き形成位置に応じた位置に移動させるように前記停止部をシート搬送方向に移動可能としたことを特徴とする請求項１又は２に記載のシート処理装置。
【請求項４】
前記切り欠き形成手段にシートを搬送する搬送部を備え、
前記搬送部は、斜送ローラと、前記斜送ローラにより斜送されたシートを突き当てるためのシート突き当て部とを有し、シートの斜行取りを行いながらシートを前記切り欠き形成手段に搬送することを特徴とする請求項１ないし３のいずれか１項に記載のシート処理装置。
【請求項５】
前記切り欠き形成手段は、前記第２シート搬送方向に沿うシートの一端部に切り欠き処理を行う第１切り欠き形成部と、一端部に対向するシートの他端部に切り欠き処理を行う第２切り欠き形成部と、を有することを特徴とする請求項１ないし４のいずれか１項に記載のシート処理装置。
【請求項６】
前記第１切り欠き形成部は前記第２シート搬送路に、前記第２切り欠き形成部は前記第３シート搬送路に各々備えられることを特徴とする請求項５記載のシート処理装置。
【請求項７】
前記第２シート搬送路は、前記第１シート搬送路からシート搬送方向と交差する幅方向に延びたものであることを特徴とする請求項１乃至６の何れか１項に記載のシート処理装置。
【請求項８】
前記第２シート搬送路は、前記第２シート搬送方向に延び、シートの表裏を反転させる湾曲部を、前記第３シート搬送路は、前記第１シート搬送方向に延び、前記湾曲部により表裏が反転したシートを前記第１シート搬送路に戻す戻し部を各々備えたことを特徴とする請求項請求項１乃至６の何れか１項に記載のシート処理装置。
【請求項９】
画像形成部と、前記画像形成部により画像が形成されたシートを処理する請求項１乃至８の何れか１項に記載のシート処理装置を備えたことを特徴とする画像形成装置。
【発明の詳細な説明】
【技術分野】
【０００１】
本発明は、シート処理装置及び画像形成装置に関し、特にシートの端部に切り欠き処理を施すものに関する。
【背景技術】
【０００２】
従来、複写機、レーザビームプリンタ、ファクシミリ及びこれらの複合機等の画像形成装置においては、シートに画像を形成する画像形成部と、画像形成部で画像形成されたシートに処理を施すシート処理装置とを有するものが一般に知られている。ここで、このようなシート処理装置としては、シート束を綴じるステイプル処理、シートに切り欠き形状を付与する切り欠き処理、シートに孔をあける穿孔処理、シート折り処理、製本処理等の各種処理を行うものが知られている（特許文献１参照）。さらに、この種のシート処理装置では、切り欠き形状を付与する場合や、穿孔処理を施す場合にシートを切るための断裁手段を備えていることがある（特許文献２参照）。
【０００３】
図１７は、従来のシート処理装置のシートの端部に切り欠きを形成する切り欠き形成部の構成を示す上面図である。切り欠き形成部は、シート搬送路の上方に配設した穿孔ユニット１５１と、下方に配設した台座ユニット１５２とを備えている。穿孔ユニット１５１の筐体内部には、シートに穿孔を施すための穿孔刃１５１６及び穿孔刃１５１６を鉛直方向に往復運動させるための駆動源である穿孔モータ１５１１が搭載されている。
【０００４】
なお、穿孔モータ１５１１の出力軸には円板１５１２が取り付けられており、この円板１５１２は連結棒１５１３を介して揺動軸１５１５に取り付けられている揺動レバー１５１４と接続されている。これにより、穿孔モータ１５１１が回転すると、穿孔モータ１５１１の回転が円板１５１２を介して揺動レバー１５１４の揺動運動に変換される。また、穿孔刃１５１６の上端は揺動レバー１５１４の先端に挿嵌されており、この揺動レバー１５１４の揺動運動に伴い、穿孔刃１５１６はシートの搬送面に対して垂直方向の往復直線運動を行う。
【０００５】
台座ユニット１５２は、穿孔ユニット１５１の対向位置に配設したダイス１５２１を備えており、このダイス１５２１には穿孔刃１５１６を挿通させ、穿孔処理を行うためのパンチ孔１５２１ａ〜１５２１ｅが設けられている。なお、これら５つのパンチ孔１５２１ａ〜１５２１ｅは、シート搬送方向と交差する方向にそれぞれ適宜の間隔を隔てて設けられている。
【０００６】
そして、シートの後端に半円形の切り欠きを形成する場合は、まず穿孔刃１５１６を挿通させるための一つのパンチ孔１５２１ａ〜１５２１ｅを選択する。この後、選択したパンチ孔１５２１ａ〜１５２１ｅに穿孔刃１５１６を挿通させることにより、シート後端の予め定めた位置に半円形の切り欠きを形成することができるように構成されている。
【０００７】
また、切り欠き形成部は、選択したパンチ孔１５２１ａ〜１５２１ｅに対応した位置へ穿孔刃１５１６を移動させるために、穿孔ユニット１５１をシート搬送方向と直交する幅方向へ往復移動させるための移動手段を備えている。
【０００８】
この移動手段は、穿孔ユニット移動モータ１６１０と、穿孔ユニット移動モータ１６１０の出力軸に取付けられた駆動プーリ１６０１と駆動プーリ１６０１に従動して回転する従動プーリ１６０２とにより張架された搬送ベルト１６００により構成される。そして、この搬送ベルト１６００に、穿孔ユニット１５１が固定部１５１９を介して取り付けられている。
【０００９】
このような構成の移動手段は、シートの端部に切り欠きを形成する場合、穿孔ユニット移動モータ１６１０の回転を幅方向への直線往復運動へと変換し、穿孔ユニット１５１をシートの辺に沿って移動させる。そして、このように穿孔ユニット１５１を移動させることにより、シートに施す切り欠き位置を変更することができ、このように切り欠き位置を変更することによりシート束の仕分け等を行うことができる。
【００１０】
【特許文献１】特開２００７−１４５６０４号公報
【特許文献２】特開２００６−２４０７８８号公報
【発明の開示】
【発明が解決しようとする課題】
【００１１】
しかし、このような従来のシート処理装置及びこれを備えた画像形成装置において、切り欠き形成部である穿孔ユニットを移動させる構成では、切り欠き位置を変更する場合には、穿孔ユニットの移動完了を待つ必要がある。また、切り欠き処理は共通搬送部分で行っていたため、切り欠き処理が終了するまで、次のシートを待機させる必要がある。
【００１２】
このため、切り欠き処理を行う場合には、生産性が低下する。特に、シートを２つに折り曲処理する場合、シートの先端及び後端に、それぞれに切り欠き処理を行う場合は、さらに生産性が低下する。
【００１３】
そこで、本発明は、このような現状に鑑みてなされたものであり、生産性を低下させることなく切り欠き処理を行うことのできるシート処理装置及び画像形成装置を提供することを目的とするものである。
【課題を解決するための手段】
【００１４】
本発明は、シートに切り欠き処理を行うシート処理装置において、シートを搬送する第１シート搬送路と、シートの端部に切り欠き処理を行う切り欠き形成手段と、前記第１シート搬送路から分岐して前記切り欠き形成手段にシートを搬送する第２シート搬送路と、前記切り欠き形成手段により切り欠き処理されたシートを前記第１シート搬送路に戻す第３シート搬送路と、を備えたことを特徴とするものである。
【発明の効果】
【００１５】
本発明のように、シートを第１シート搬送路から第２シート搬送路に搬送し、切り欠き形成手段による切り欠き処理の後、シートを第３シート搬送路から第１シート搬送路に戻すことにより、生産性を低下させることなく切り欠き処理を行うことができる。
【発明を実施するための最良の形態】
【００１６】
以下、本発明を実施するための最良の形態を、図面を用いて詳細に説明する。
【００１７】
図１は、本発明の第１実施の形態に係るシート処理装置を備えた画像形成装置の一例である複写機の構成を示す図である。
【００１８】
図１において、１１０は白黒・カラー複写機（以下、複写機という）、１００は複写機本体であり、この複写機本体１００には、画像形成部１０２と、イメージセンサ１０５ａ等を備えたイメージリーダ部１０５が設けられている。また、この複写機本体１００の側方には、シート処理装置であるフィニッシャ５００が接続されている。なお、８００は複写機本体１００、フィニッシャ５００の制御を司るコントローラ、８１０は操作部である。
【００１９】
そして、このような複写機１１０において、シートに画像を形成する際には、イメージリーダ部１０５において、原稿給送装置１０４により搬送された不図示の原稿の画像が読み取られる。この後、読み取られた画像情報に応じて感光体ドラム１０２ａ〜１０２ｄの上にイエロー、マゼンタ、シアン、ブラックの４色のトナー像が形成される。この後、給紙信号が出力されると、複写機本体１００に設けられたカセット１０１ａ〜１０１ｄから画像形成部１０２にシートが給送され、このシートに感光体ドラム上のイエロー、マゼンタ、シアン、ブラック４色のトナー像が順次転写される。
【００２０】
次に、トナー像が順次転写されたシートは、定着装置１０３に搬送される。そして、この定着装置１０３において転写画像が永久定着され、このように画像が定着されたシートは、この後、複写機本体１００から排出され、フィニッシャ５００に搬送される。
【００２１】
ここで、フィニッシャ５００は、複写機本体１００から排出されたシートを順に取り込み、切り欠き処理を行うようになっている。また、フィニッシャ５００は、取り込んだ複数のシートを整合して１つの束に束ねる処理（整合処理）、シート束の後端部（シート搬送方向の上流端部）を綴じるステイプル処理を行うようになっている。さらに、フィニッシャ５００は、シートの後端部に孔をあける穿孔処理、ソート・ノンソート処理、シート束を折る折り処理、２つ折り製本処理など各種の処理を行うようになっている。
【００２２】
このため、フィニッシャ５００は、切り欠き処理装置４００、中綴じ処理装置１２０及び平綴じ処理装置３００を備えており、複写機本体１００から排出されるシートを、オンラインで処理することができるようになっている。更に、フィニッシャ５００は、オプションとして使用されることがあるため、複写機本体１００は、単独でも使用できるようになっている。また、フィニッシャ５００と複写機本体１００は、一体であってもよい。
【００２３】
このフィニッシャ５００の切り欠き処理装置４００は、シートの端部に選択的に切り欠き処理を行う第１切り欠き形成部及び第２切り欠き形成部としての第１及び第２シート断裁部４０１Ａ、４０１Ｂを備えている。そして、複写機本体１００から排出されるシートに切り欠き処理を施し、下流側へとシートを搬送するように構成されている。
【００２４】
また、フィニッシャ５００は、切り欠き処理装置４００から排出されたシートを搬送するための入口ローラ対５１０を有している。この入口ローラ対５１０の下流側には、シートを、平綴じ製本パスＺ１又は中綴じ製本パスＺ２に選択的に案内する切換部材５２０が設けられている。
【００２５】
そして、切換部材５２０により平綴じ製本パスＺ１に導かれたシートは、搬送ローラ対５３０を介してバッファローラ５４０に向けて送られる。なお、バッファローラ５４０は、その外周に送られたシートを所定枚数積層して巻き付けられるローラであり、このバッファローラ５４０と搬送ローラ対５３０とは、正逆転可能に構成されている。また、搬送ローラ対５３０とバッファローラ５４０との間には、穿孔ユニット５５０が設けられている。穿孔ユニット５５０は、必要に応じて動作し、搬送されてきたシートの後端付近に孔をあけるよう構成されている。
【００２６】
バッファローラ５４０に送られたシートは、下流に配置された切換部材５６０によって、積載トレイ７０１に積載されるか、若しくは平綴じ処理装置３００内に搬送される。そして、平綴じ処理装置３００内に搬送されたシートは、そのまま排出されて積載トレイ７０２に積載されるか、或いはステイプル処理を施すために、シートを積載可能なシート積載手段である処理トレイ３０５に積載される。
【００２７】
なお、処理トレイ３０５上に束状に積載されたシートは、整合処理、ステイプル処理などが施された後、積載トレイ７０２上に排出される。また、処理トレイ３０５上に束状に積載されたシートを綴じるステイプル処理を行う場合には、ステイプラ３１０によりシート束の角部や背部に相当する部分を綴じるようになっている。一方、切換部材５２０により中綴じ製本パスＺ２に案内されたシートは、中綴じ処理装置１２０に搬送され、製本処理等が施される。
【００２８】
次に、切り欠き処理装置４００について図２〜図４を用いて説明する。なお、図２は切り欠き処理装置４００の正面図、図３は切り欠き処理装置４００を第１搬送経路４１０の第１シート搬送方向上流から見た場合の側面図、図４は切り欠き処理装置４００の斜視図である。
【００２９】
切り欠き処理装置４００は、図２〜図４に示すように複写機本体１００から排出されたシートを第１シート搬送方向に搬送するための第１シート搬送路である第１搬送経路４１０を備えている。また、第１搬送経路４１０の第１シート搬送方向と交差する第２シート搬送方向に分岐し、第２シート搬送方向に沿うシートの一端部に選択的に切り欠き処理を施すための第２シート搬送路である第２搬送経路４２０を備えている。
【００３０】
また、第２シート搬送方向に沿う、一端部に対向するシートの他端部に選択的に切り欠き処理を施し、第１搬送経路４１０へシートを戻すための第３シート搬送路である第３搬送経路４３０とを備えている。なお、第３搬送経路４３０は、第１搬送経路４１０と第２搬送経路４２０の分岐部よりもシート搬送方向下流側で第１搬送経路４１０と合流する。
【００３１】
第１搬送経路４１０の上流部には複写機本体１００から排出されたシートを搬送する第１搬送ローラ対４３１、第１搬送ローラ対４３１で搬送されたシートを停止させる第１シートストッパ４３２が設けられている。
【００３２】
ここで、第１シートストッパ４３２は、不図示の移動機構により第１搬送経路４１０のシート搬送方向に移動可能となっており、シートサイズによってシート停止位置を変えるように構成されている。また、第１シートストッパ４３２は、不図示の出没機構により、第１搬送経路４１０に対して出没可能となっている。
【００３３】
そして、切り欠き処理を行う場合には、第１搬送経路４１０から退避した位置からシートを停止させる停止位置へと突出し、切り欠き処理を行わない場合には、シートの搬送を妨げないように退避した位置に移動するように構成されている。なお、第１シートストッパ内にはシートの有無を検出するための第１検知部４５１が設けられている。
【００３４】
第１搬送経路４１０には、第１シートストッパ４３２と直交して配置され、第１シートストッパ４３２により停止したシートを、第１シート搬送方向に沿う第２搬送経路側端を先頭にして第２搬送経路４２０へと導く第２搬送ローラ対４３３Ａが設けられている。そして、この第２搬送ローラ対４３３Ａにより、第１搬送経路４１０に搬送されたシートは、シートの第２搬送経路側端を先頭にして第２搬送経路４２０に搬送するように搬送方向が切り換えられる。
【００３５】
ここで、第２搬送経路４２０には第１部である第１シート裁断部４０１Ａが設けられており、には第２部である第２シート断部４０１Ｂが設けられている。そして、第１及び第２シート裁断部４０１Ａ，４０１Ｂにより、シートの一端部及び他端部に切り欠き処理を施すようにしている。
【００３６】
また、この第２搬送経路４２０の第１シート裁断部側部分の上流部には、第２搬送ローラ対４３３Ａから搬送されるシートを切り欠き処理位置まで搬送するための第２搬送ローラ対４３３Ｂが設けられている。
【００３７】
なお、この第２搬送ローラ対４３３Ｂはシートを斜送するための斜送ローラであり、この第２搬送ローラ対４３３Ｂによりシートを斜送させてシート突き当て部である斜行除去板４３４Ａに突き当てるようにしている。そして、このように第２搬送ローラ対４３３Ｂと斜行除去板４３４Ａとにより構成される第１搬送部により、搬送中のシートの斜行取りを行うことができる。また、第１シート裁断部４０１Ａは、このように第１搬送部によってシートの斜行取りが行われたシート後端に対して切り欠き処理を施すようにしている。
【００３８】
また、第２搬送ローラ対４３３Ｂのシート搬送方向下流側には切り欠き位置でシートを停止させる第１停止部である第２シートストッパ４３５が設けられている。この第２シートストッパ４３５は、不図示の移動機構により第２搬送経路４２０のシート搬送方向に移動可能に構成されており、シートに対する切り欠き形成位置に応じてシート停止位置を変えるようになっている。そして、このようにシート停止位置を変えることにより、シートの長手方向においてユーザが操作部８１０で指定した切り欠き形成位置に切り欠き処理を行うことができる。なお、この第２シートストッパ内にはシートの有無を検出するための第２検知部４５２が設けられている。
【００３９】
なお、生産性が確保できるのであれば、切り欠き処理の指定がシートの一端部のみの場合は、第２搬送ローラ対４３３Ｂを逆回転して、一端部に対して切り欠き処理が施されたシートを再び、第２搬送経路４２０から第１搬送経路４１０へ戻すことが可能である。
【００４０】
第２搬送ローラ対４３３Ｂと第２シートストッパ４３５との間には、選択的に切り欠き処理が施されたシートを第搬送経路の第２シート裁断部側部分に搬送するための横搬送ローラ対４３６Ａが、第２シートストッパ４３５と直交して配置されている。この横搬送ローラ対４３６Ａにより、第１シート裁断部４０１Ａにより後端に選択的に切り欠き処理が行われたシートを、先端を先頭にして第２シート裁断部４０１Ｂに搬送するように搬送方向が切り換えられる。
【００４１】
横搬送ローラ対４３６Ａのシート搬送方向下流側である第２シート裁断部側部分には、横搬送ローラ対４３６Ａによって搬送されたシートを搬送する横搬送ローラ対４３６Ｂ、４３６Ｃが設けられている。また、横搬送ローラ対４３６Ｂと第３搬送経路４３０との間には、横搬送ローラ対４３６Ｂで搬送されたシートを、向きを変えて搬送する第３搬送ローラ対４３７Ａが横搬送ローラ対４３６Ｂと直交して配置されている。
【００４２】
ここで、この第３搬送ローラ対４３７Ａはシートを斜送するための斜送ローラであり、この第３搬送ローラ対４３７Ａによりシートを斜送させてシート突き当て部である斜行除去板４３４Ｂに突き当てるようにしている。そして、このように第３搬送ローラ対４３７Ａと斜行除去板４３４Ｂとにより構成される第２搬送部により、搬送中のシートの斜行取りを行うことができる。そして、第３搬送経路４３０に設けられた第２シート裁断部４０１Ｂは、このように第２搬送部によってシートの斜行取りが行われたシート先端に対して切り欠き処理を施すようにしている。
【００４３】
また、第３搬送ローラ対４３７Ａのシート搬送方向下流側には切り欠き位置でシートを停止させる第２停止部である第３シートストッパ４３８が設けられている。この第３シートストッパ４３８は、不図示の移動機構により第３搬送経路４３０のシート搬送方向に移動可能に構成されており、ユーザが指定した切り欠き形成位置に切り欠き処理を行えるようになっている。
【００４４】
そして、このようにシート停止位置を変えることにより、シートの長手方向においてユーザが操作部８１０で指定した切り欠き形成位置に切り欠き処理を行うことができる。なお、この第３シートストッパ内にはシートの有無を検出するための第２検知部４５３が設けられている。また、この第３シートストッパ４３８は、離接可能で、切り欠き処理後にシートを停止させる停止位置から、退避するように構成されている。
【００４５】
第３搬送経路４３０は、第２搬送経路４２０において切り欠き処理が施された後のシートに対し、第２シート断部４０１Ｂにより選択的に切り欠き処理を施して第１搬送経路４１０へ導くためのものである。そして、この第３搬送経路４３０には切り欠き処理後のシートを第１搬送経路４１０へ導くための第３搬送ローラ対４３７Ｂが設けられている。
【００４６】
さらに、第１搬送経路４１０の下流側には、第３搬送ローラ対４３７Ｂで搬送されたシートを停止させ、同時に第１搬送経路４１０のシート搬送方向のレジ取りを行う第４シートストッパ４３９が設けられている。ここで、第３搬送ローラ対４３７Ａ及び第３搬送ローラ対４３７Ｂは、第２シート裁断部４０１Ｂにより選択的に切り欠き処理が行われたシートを第１搬送経路４１０に搬送する第３搬送部を構成するものである。
【００４７】
なお、この第４シートストッパ４３９は、不図示の移動機構により第３搬送経路４３０からシートが搬送されてくる方向に移動可能に構成されており、シートのサイズによってシート停止位置を変え、シートの位置を制御できるようになっている。なお、第４シートストッパ内にはシートの有無を検出するための第４検知部４５４が設けられている。
【００４８】
また、第４シートストッパ４３９と第３搬送ローラ対４３７Ｂとの間には、第４シートストッパ４３９で停止したシートを再び第１搬送経路４１０のシート搬送方向へ搬送する第４搬送ローラ対４４０が第４シートストッパ４３９と直交して配置されている。そして、この第４搬送ローラ対４４０により、切り欠き処理が施されたシートは平綴じ処理装置３００又は中綴じ処理装置１２０へ排出される。
【００４９】
なお、第１搬送経路４１０の第１搬送ローラ対４３１の下流側には、切り欠き処理を施さない場合に、第１搬送ローラ対４３１から直接第４搬送ローラ対４４０へと搬送するための共通搬送用の補助ローラ対４６０が備えられている。
【００５０】
ここで、既述した第１搬送ローラ対４３１、第２搬送ローラ対４３３Ａ，４３３Ｂ、第３搬送ローラ対４３７Ａ，４３７Ｂ、第４搬送ローラ対４４０等は接離可能となっている。そして、シートが搬送されるまでは、シートの受け入れが可能となるよう離間状態となり、またシートを搬送する際には、シートの挟持搬送が可能となるよう圧接状態となる。
【００５１】
そして、このように構成することにより、シートに切り欠き処理を施す場合には、図５に示すように、まず矢印Ａに示すようにシートＰを第１搬送経路４１０に搬送し、この後、矢印Ｂに示すように第２搬送経路４２０へ搬送する。この後、第１シート裁断部４０１Ａによりシート後端に切り欠きを形成する。
【００５２】
次に、シート後端に切り欠きが形成されたシートＰを矢印Ｃ及びＤに示すように搬送し、この後、第２シート裁断部４０１Ｂによりシート先端に切り欠きを形成する。次に、シートＰを矢印Ｅに示すように第３搬送経路４３０から再び第１搬送経路４１０へと搬送する。
【００５３】
この後、シートＰは第１搬送経路４１０と合流し、矢印Ｆに示すように平綴じ製本パス内又は中綴じ製本パス内へと搬送された後、ステイプル等の処理を施す平綴じ処理装置３００、もしくは中綴じ処理装置１２０へと搬送される。そして、平綴じ処理装置３００へと搬送された場合は、処理トレイ３０５に積載され、シート束を形成後、ステイプラ３１０で綴じられ、図６の（ａ）に示すような成果物（シート束ＰＡ）として積載トレイ７０２へ排出される。また、中綴じ処理装置１２０へと搬送された場合は、図６の（ｂ）に示すような製本された成果物（シート束ＰＡ）が得られるようになっている。
【００５４】
次に、第１及び第２のシート裁断部４０１Ａ，４０１Ｂについて図７及び図８を用いて説明する。なお、第１及び第２のシート裁断部４０１Ａ，４０１Ｂは同様の構成のため、以下、第１の裁断部４０１Ａの構成についてのみ説明する。
【００５５】
図７は第１シート裁断部４０１Ａを、シート搬送方向正面から見た図、図８（ａ）及び（ｂ）はシート搬送方向に沿って見た図である。
【００５６】
第１シート裁断部４０１Ａは、裁断モータ４０２、回転板４０７、裁断モータ側のプーリ４０３と回転板側のプーリ４０５とに巻き付けられ、裁断モータ４０２の駆動を回転板４０７に伝えるためのタイミングベルト４０４を備えている。また、回転板４０７が回転することにより、上下方向に動作するバイト取付板４０８、シートに切り欠き処理を施すための裁断バイト４１２、バイト取付板４０８を支持するバネ４０９、ベース台４１１を備えている。なお、回転板４０７は、偏心して設けられた回転軸４０５を中心に回転するようになっている。
【００５７】
このような構成により、裁断モータ４０２が回転すると、裁断モータ４０２の駆動力が裁断モータ側のプーリ４０３、タイミングベルト４０４及び回転板側のプーリ４０５を介して回転板４０６に伝達され、図８の（ａ）に示す矢印方向に回転板４０６が回転する。
【００５８】
このように回転板４０７が回転軸４０５を中心に回転すると、図８の（ｂ）に示すようにバイト取付板４０８が、バイト取付板４０８を支持しているバネ４０９を縮ませながら下方に移動する。そして、このようにバイト取付板４０８が下方へ移動すると、裁断バイト４１２も一体に下降し、これによりシートに対する切り欠き処理が施される。
【００５９】
図９は、コントローラ８００（図１参照）の制御ブロック図である。このコントローラ８００は、ＣＰＵ回路部８３０、入力手段としての操作部８１０、原稿給送装置制御部８５２、イメージリーダ制御部８５３、画像信号制御部８５４、プリンタ制御部８５５、フィニッシャ制御部８５６、外部インタフェース８５７を有する。
【００６０】
ＣＰＵ回路部８３０は、ＣＰＵ８４９、ＲＯＭ８５１、ＲＡＭ８７０を内蔵し、複写機本体１００に搭載されている。そして、ＣＰＵ回路部８３０は、ＲＯＭ８５１に格納されている制御プログラムにより原稿給送装置制御部８５２、イメージリーダ制御部８５３、画像信号制御部８５４、プリンタ制御部８５５、フィニッシャ制御部８５６等を総括的に制御する。なお、ＲＡＭ８７０は、制御データを一時的に保持し、また制御に伴う演算処理の作業領域として用いられる。
【００６１】
原稿給送装置制御部８５２は、原稿給送装置１０４（図１参照）をＣＰＵ回路部８３０からの指示に基づき駆動制御する。イメージリーダ制御部８５３は、イメージリーダ部１０５（図１参照）に対する駆動制御を行い、イメージリーダ部内にあるイメージセンサ１０５ａ（図１参照）から出力されたアナログ画像信号を画像信号制御部８５４に転送する。
【００６２】
画像信号制御部８５４は、イメージセンサからのアナログ画像信号をデジタル画像信号に変換した後に各処理を施し、プリンタ制御部８５５に出力する。また、外部コンピュータ８２０から外部インタフェース８５７を介して入力されたデジタル画像信号に各種処理を施し、プリンタ制御部８５５に出力する。この画像信号制御部８５４による処理動作は、ＣＰＵ回路部８３０により制御される。プリンタ制御部８５５は、入力した画像信号に基づいて画像形成するべく、画像形成部１０２の駆動制御を行う。
【００６３】
操作部８１０は、複写機本体１００に搭載され、画像形成に関する各種機能を選択する複数のキー、設定状態を示す情報を表示するタッチパネルで構成される。そして、操作部８１０は、各キーの入力操作に対応するキー信号をＣＰＵ回路部８３０に出力するとともに、ＣＰＵ回路部８３０からの信号に基づき対応する情報を操作部８１０のタッチパネルに表示する。
【００６４】
本実施の形態では、操作部８１０は、フィニッシャ５００に搬送されるシートＰに切り欠き処理を施す切り欠き処理と、切り欠き処理を施さない非切り欠き処理のいずれかのモードを選択するキーを表示するようになっている。そして、この操作部８１０のキー操作により、切り欠き処理が選択可能となっている。さらに、切り欠き処理を施す場合には、シートの先端に切り欠き処理を施すモードと、シート後端に切り欠き処理を施すモード、もしくはシートの両端に切り欠き処理を施すモードのいずれかを選択可能に構成されている。
【００６５】
フィニッシャ制御部８５６はフィニッシャ５００に搭載され、ＣＰＵ回路部８３０と情報のやり取りを行うことによってフィニッシャ全体の駆動制御を行う。なお、フィニッシャ制御部８５６を複写機本体１００側のＣＰＵ回路部８３０に一体的に組み込み、複写機本体１００から直接フィニッシャ５００を制御するようにしてもよい。
【００６６】
フィニッシャ制御部８５６は、制御手段としてのＣＰＵ回路部９００、Ｉ／Ｏ部９０４、ネットワークインタフェース９０５、通信インタフェース９０６、裁断部制御部９０７、シートＰの有無を検知する第１検知部４５１、第４検知部４５４を備えている。ＣＰＵ回路部９００は、ＣＰＵ９０１、ＲＡＭ９０２、ＲＯＭ９０３を有している。裁断部制御部９０７は、裁断モータ４０２及びシートＰの有無を検知する第２検知部４５２、第３検知部４５３を有し、Ｉ／Ｏ部９０４を介してＣＰＵ回路部９００に接続されている。
【００６７】
フィニッシャ制御部８５６は、ＣＰＵ回路部９００の制御の下、第２検知部４５２の検知結果に基づいて、裁断モータ４０２を駆動し、回転板４０７を回転させ、バイト取付板４０８を上下方向に移動させ、シートＰに切り欠き処理を施す。
【００６８】
次に、フィニッシャ制御部８５６の制御に基づくフィニッシャ５００における切り欠き形成動作について図１０に示すフローチャートを用いて説明する。
【００６９】
まず、フィニッシャ制御部８５６のＣＰＵ回路部９００は、ユーザによる操作部８１０の操作により、切り欠き処理モード及び非切り欠き処理モードのいずれのモードが選択されているかを判断する。そして、ＣＰＵ回路部９００は選択されたモードに対応する制御を実行する。
【００７０】
例えば、シートに切り欠き処理を行うと判断した場合、即ち切り欠き処理有りと判断した場合は（ステップＳ１のＹ）、例えば図１１に示す第１〜第４シートストッパ４３２，４３５，４３８，４３９を搬送経路内に突出させる（ステップＳ２）。そして、第１搬送ローラ対４３１でシート搬送を開始する（ステップＳ３）。この後、第１シートストッパ４３２までシートを搬送し、第１検知部４５１がシートを検知すると（ステップＳ４のＹ）、第１搬送ローラ対４３１を停止させ、第２搬送ローラ対４３３Ａ、４３３Ｂをシートの搬送が可能となるよう圧接状態とする。
【００７１】
次に、第２搬送ローラ対４３３Ａによるシートの搬送が可能となるよう第１搬送ローラ対４３１を離間させると共に、第２搬送ローラ対４３３Ａでの搬送を開始する。これにより、シート搬送方向が変更され、シートＰは第２搬送経路４２０へ搬送される（ステップＳ５）。この後、第２搬送ローラ対４３３Ａにより搬送されたシートは第２搬送ローラ対４３３Ｂを通過後、第１斜行取り板４３４Ａにより斜行取りが行われる。
【００７２】
次に、このように斜行取りが行われたシートＰは第２シートストッパ４３５へ突き当たり、このシートＰを第２検知部４５２が検知すると（ステップＳ６のＹ）、第２搬送ローラ対４３３Ａ、４３３Ｂを停止させ、シート搬送を停止する（ステップＳ７）。
【００７３】
ここで、シートの一端であるシート後端に切り欠き処理を行うか否かを判断し（ステップＳ８）、シート後端切り欠き処理を行うと判断した場合には（ステップＳ８のＹ）、裁断モータ４０２を駆動する。これにより、既述した図８の（ａ）から（ｂ）に示すように、第１シート裁断部４０１Ａのバイト取付板４０８が下方に移動し、シート後端に対する切り欠き処理が実行される（ステップＳ９）。
【００７４】
また、このような切り欠き処理と同時に、それまで離間状態にあった横搬送ローラ対４３６Ａ、４３６Ｂを圧接状態とする。そして、裁断部４０１Ａでの切り欠き処理が終了すると、それまで圧接状態であった第２搬送ローラ対４３３Ａ，４３３Ｂを離間状態とし、横搬送ローラ対４３６Ａでのシート搬送を開始する。これにより、シート搬送方向が変更され、シートＰが搬送される（ステップＳ１０）。なお、この後、シート先端が横搬送ローラ対４３６Ｂを通過した後、第２斜行取り板４３４Ｂにシート先端を突き当ててシートＰを停止させると共に、第３搬送ローラ対４３７Ａ，４３７Ｂを圧接状態する。これにより、シートＰは第３搬送ローラ対４３７Ａにより挟持される。
【００７５】
次に、横搬送ローラ対４３６Ｂ，４３６Ｃを離間状態とし、第３搬送ローラ対４３７Ａによるシート搬送を開始する。これにより、シート搬送方向が変更された状態でシートＰが搬送される（ステップＳ１０）。この後、第３搬送ローラ対４３７Ａにより搬送されたシートＰは、第２斜行取り板４３４Ｂにより斜行取りが行われる。
【００７６】
ここで、シートの他端であるシート先端に切り欠き処理を行うか否かを判断する（ステップＳ１１）。そして、シート先端切り欠き処理を行うと判断した場合には（ステップＳ１１のＹ）、斜行取りが行われた後、第３シートストッパ４３８に突き当たったシートＰを第３検知部４５３が検知すると、第２搬送ローラ対４３７Ａを停止させる。これにより、第３シートストッパ４３８で斜行取りが行われたシートＰが停止する（ステップＳ１２）。
【００７７】
次に、裁断モータ４０２を駆動する。これにより、第２シート裁断部４０１Ｂのバイト取付板４０８が既述した図８の（ａ）から（ｂ）に示すように下方に移動し、シート先端に対する切り欠き処理が実行される（ステップＳ１３）。
【００７８】
次に、このようなシート先端に対する切り欠き処理が終了すると、再び、第３搬送ローラ対４３７ＡによりシートＰの搬送を行い、シートＰを第３経路４３０へ搬送する（ステップＳ１４）。さらにこの後、シートＰを搬送することにより、シートＰは第１搬送経路４１０に合流し（ステップＳ１５）、第４シートストッパ４３９に突き当たる。
【００７９】
そして、このように第４シートストッパ４３９に突き当たったシートＰを第４検知部４５４が検知すると（ステップＳ１６のＹ）、第３搬送ローラ対４３７Ａ，４３７Ｂを停止させると共に、第４搬送ローラ対４４０を圧接状態としてシートＰを挟持させる。この後、第３搬送ローラ対４３７Ａ，４３７Ｂを離間状態とし、第４搬送ローラ対４４０でのシート搬送を開始する。これにより、シート搬送方向が変更され、図１２に示すように第４搬送ローラ対４４０でシートＰは搬送され（ステップＳ１７）、この後、シートＰは平綴じ、又は中綴じ製本パスへと搬送される（ステップＳ１８）。
【００８０】
一方、ＣＰＵ回路部９００が切り欠き処理を行わないと判断した場合は（ステップＳ１のＮ）、ＣＰＵ回路部９００は、第１搬送ローラ対４３１によりシートＰの搬送を開始する（ステップＳ１９）。また、第１シートストッパ４３２を、シートの搬送を妨げることがないように、搬送経路内から退避させる。
【００８１】
次に、第１搬送経路４１０内で、シートを停止させる事なく補助ローラ対４６０を通紙させ（ステップＳ２０）、この後、更に第４搬送ローラ対４４０を通紙させ（ステップＳ２１）、シートＰを平綴じ、又は中綴じ製本パスへと搬送する（ステップＳ１８）。
【００８２】
このように、本実施の形態においては、第２搬送経路４２０に第１シート断裁部４０１Ａ、第３搬送経路４３０に第２シート断裁部４０１Ｂを設け、切り欠き処理を行う際には、シートを第１搬送経路４１０から第２搬送経路４２０に選択的に搬送する。そして、このようにシートを第１及び第２シート断裁部４０１Ａ，４０１Ｂに順次、搬送して選択的に切り欠き処理を行うことにより、シートを待機させることなく切り欠き処理を行うことができる。また、切り欠き処理を行った後、分岐部の下流側からシートを第１搬送経路４１０に戻すことにより、次のシートを待機させる必要がなくなり、生産性を向上させることができる。
【００８３】
つまり、シートを選択的に第１シート断裁部４０１Ａが設けられた第２搬送経路４２０、第２シート断裁部４０１Ｂが設けられた第３搬送経路４３０に搬送し、切り欠き処理の後、第１搬送経路４１０に戻すようにする。これにより、生産性を低下させることなく切り欠き処理を行うことができる。
【００８４】
なお、本実施の形態では、図９に示す制御手段としてのＣＰＵ回路部９００をフィニッシャ５００に搭載した場合について説明したが、ＣＰＵ回路部９００は複写機１１０に搭載されていれば良いことから、例えば複写機本体１００の搭載するようにしても良い。また、本実施の形態では、入力手段としての操作部８１０を複写機本体１００に搭載した場合について説明したが、操作部８１０は複写機１１０に搭載されていれば良いことから、例えばフィニッシャ５００に搭載するようにしても良い。
【００８５】
さらに、本実施の形態では、第２搬送経路４２０内で、シート搬送方向を変更する構成となっているが、本構成に限定されるものではない。例えば、第２搬送経路内でシートを停止させた後、さらに搬送を続けると共にシートを反転させ、この後、第１搬送経路４１０へと戻すような構成としても良い。
【００８６】
次に、このような構成の本発明の第２の実施の形態について説明する。
【００８７】
図１３〜図１５は、本実施の形態に係るシート処理装置に設けられたシート切り欠き処理装置の構成を示す図である。なお、図１３〜図１５において、既述した図２〜図４と同一符号は、同一又は相当部分を示している。
【００８８】
図１３〜図１５において、４２１は第１搬送経路４１０の第１シート搬送方向と直交する第２シート搬送方向に分岐し、切り欠き処理を施すための第２シート搬送路である第２搬送経路である。ここで、この第２搬送経路４２１は、シートＰの表裏を反転させた後、シートＰを第１搬送経路４１０に搬送するように湾曲部４２１Ａを備え、第３搬送経路４３０は、第１搬送経路４１０の下方に位置する戻し部４３０Ａを備えている。なお、この湾曲部４２１Ａは第１搬送経路４１０からシート搬送方向と交差する第２シート搬送方向に延び、戻し部４３０Ａは第１搬送経路４１０の下方に第１搬送経路４１０に沿って延びている。
【００８９】
そして、この湾曲部４２１Ａには第１シート断裁部４０１Ａが、また戻し部４３０Ａには第２シート断裁部４０１Ｂが設けられている。なお、本実施の形態においては、第１シート断裁部４０１Ａによりシート先端に対する切り欠き処理を施し、第２シート断裁部４０１Ｂによりシート後端に対する切り欠き処理を施すようにしている。なお、４３７Ａ〜４３７Ｄは、第２シート断裁部４０１Ｂにより選択的に切り欠き処理が行われたシートを第１搬送経路４１０に搬送する第３搬送部を構成する第３搬送ローラ対である。
【００９０】
そして、このような構成のシート切り欠き処理装置において、シートに切り欠き処理を施す場合は、図１６に示すように、まず矢印Ａに示すようにシートＰを第１搬送経路４１０に搬送する。この後、シートＰを、第１搬送ローラ対４３１により第１シートストッパ４３２まで搬送し、第１検知部４５１がシートを検知すると、第１搬送ローラ対４３１を停止し、第２搬送ローラ対４３３Ａ，４３３Ｂを圧接状態とする。
【００９１】
次に、第１搬送ローラ対４３１を離間させ、第２搬送ローラ対４３３Ａでのシート搬送を開始し、シートＰを矢印Ｂに示すように第２搬送経路４２１の湾曲部４２１Ａへ搬送する。この後、第２搬送ローラ対４３３ＢによりシートＰを斜送させて第１斜行除去板４３４Ａに突き当てることにより、シートＰの斜行取りを行う。
【００９２】
次に、第２シートストッパ４３５までシートを搬送し、第２検知部４５２がシートを検知すると、第２搬送ローラ対４３３Ａ，４３３Ｂを停止させる。この後、第１搬送経路４１０のシート搬送方向におけるシート先端に切り欠き処理を行う場合は、第１シート断裁部４０１Ａを作動させ、シート先端に切り欠きを形成する。
【００９３】
次に、このようにシート先端に選択的に切り欠きを形成した後、第２シートストッパ４３５を第２搬送経路４２１から退避させ、再び第２搬送ローラ対４３３Ｂによるシート搬送を開始する。これにより、シートＰは矢印Ｃに示すように戻し部４３０Ａに搬送され、シートの表裏が反転する。この後、このように表裏が反転したシートは、第２搬送ローラ対４３３Ｄにより矢印Ｄに示すように斜送されて第２斜行除去板４３４Ｂに突き当り、斜行取りが行われる。
【００９４】
そして、シートＰの第１搬送経路４１０のシート搬送方向後端に切り欠き処理を行う場合は、斜行取りが行われたシートを第３シートストッパ４３８まで搬送し、第３検知部４５３がシートＰを検知すると、第２搬送ローラ対４３３Ｃ〜４３３Ｅを停止する。この後、第２シート断裁部４０１Ｂを作動させて選択的に切り欠き処理を行い、同時に第３搬送ローラ対４３７Ａ〜４３７Ｃを圧接状態とすると共に、第２搬送ローラ対４３３Ｃ〜４３３Ｅを離間する。
【００９５】
次に、第２シート断裁部４０１Ｂによる切り欠き処理終了後、第３搬送ローラ対４３７Ａによりシート搬送を開始し、シートＰを矢印Ｅに示すように搬送し、この後、第３搬送ローラ対４３７Ｃ，４３７Ｄにより、矢印Ｆに示す方向へ搬送する。そして、第３搬送ローラ対４３７Ｅにより、シートＰを第３搬送経路４３０から戻して第１搬送経路４１０と合流させる。次に、第４搬送ローラ対４４０により矢印Ｇに示す方向へシートＰを搬送し、シートＰを平綴じ、又は中綴じ製本パスへと搬送する。
【００９６】
個々で、本実施の形態のように構成することにより、生産性を低下させることなく切り欠き処理を行うことができると共に、切り欠き処理装置の幅方向の寸法を低減することができる。
【００９７】
なお、上述した本実施の形態において、第１搬送経路から分岐した第２搬送経路に第１シート断裁部、第１搬送経路に合流する第３搬送経路に第２シート断裁部を各々設けた構成について説明したが、これに限らない。例えば、第２搬送経路に第１、第２シート断裁部を設けた構成、または第２、第３搬送経路のいずれかに一方に第１、第２シート断裁部を設けた構成でも本発明は有効である。前者は装置の小型化に寄与し、後者は生産性の低下を防止する。さらに、両端に切り欠き処理を行う必要が無い場合は、第２、第３搬送経路のいずれかに一方に一端部のみを切り欠き処理するシート断裁部を設けるようにしてもよい。
【図面の簡単な説明】
【００９８】
【図１】本発明の第１実施の形態に係るシート処理装置を備えた画像形成装置の一例である複写機の構成を示す図。
【図２】上記シート処理装置であるフィニッシャに設けられた切り欠き処理装置の正面図。
【図３】上記切り欠き処理装置をシート搬送方向上流から見た場合の側面図。
【図４】上記切り欠き処理装置の斜視図。
【図５】上記切り欠き処理装置におけるシートに切り欠き処理を施す場合のシートの流れを示す斜視図。
【図６】上記切り欠き処理装置により切り欠き処理が施されたシート束の例を示す図。
【図７】上記切り欠き処理装置に設けられたシート断裁部を説明する第１の図。
【図８】上記切り欠き処理装置に設けられたシート断裁部を説明する第２の図。
【図９】上記複写機に設けられたコントローラの制御ブロック図。
【図１０】上記フィニッシャにおける切り欠き形成動作を示すフローチャート。
【図１１】上記切り欠き処理装置のシートに切り欠き処理を説明する第１の斜視図。
【図１２】上記切り欠き処理装置のシートに切り欠き処理を説明する第２の斜視図。
【図１３】本発明の第２実施の形態に係るシート処理装置に設けられた切り欠き処理装置の側面図。
【図１４】上記切り欠き処理装置の正面図。
【図１５】上記切り欠き処理装置の斜視図。
【図１６】上記切り欠き処理装置におけるシートに切り欠き処理を施す場合のシートの流れを示す斜視図。
【図１７】従来のシート処理装置の切り欠き形成部の構成を示す上面図。
【符号の説明】
【００９９】
１００    複写機本体
１０２    画像形成部
１１０    白黒・カラー複写機
４００    切り欠き処理装置
４０１Ａ  第１シート断裁部
４０１Ｂ  第２シート断裁部
４１０    第１搬送経路
４２０    第２搬送経路
４２１    第２搬送経路
４２１Ａ  湾曲部
４３０Ａ  戻し部
４３０    第３搬送経路
４３３Ｂ  第２搬送ローラ対
４３４Ａ  斜行除去板
４３４Ｂ  斜行除去板
４３５    第２シートストッパ
４３７Ａ〜４３７Ｄ  第３搬送ローラ対
４３８    第３シートストッパ
５００    フィニッシャ
８００    コントローラ
８１０    操作部
８５６    フィニッシャ制御部
Ｐ        シート
【図１】
2010132421.tif 000003
【図２】
2010132421.tif 000004
【図３】
2010132421.tif 000005
【図４】
2010132421.tif 000006
【図５】
2010132421.tif 000007
【図６】
2010132421.tif 000008
【図７】
2010132421.tif 000009
【図８】
2010132421.tif 000010
【図９】
2010132421.tif 000011
【図１０】
2010132421.tif 000012
【図１１】
2010132421.tif 000013
【図１２】
2010132421.tif 000014
【図１３】
2010132421.tif 000015
【図１４】
2010132421.tif 000016
【図１５】
2010132421.tif 000017
【図１６】
2010132421.tif 000018
【図１７】
2010132421.tif 000019